(57)【要約】【課題】使用可能な場所が、太陽電池への光の照射量により限定されず、いつでも太陽電池による充電ができる携帯電子機器。【解決手段】着脱可能なソーラユニットを備え、内蔵する本体充電池を電源として動作する携帯電子機器において、ソーラユニットは、太陽電池パネルと、太陽電池パネルが発電した電力により充電されるソーラユニット充電池とを具備し、携帯電子機器は、外部電源からの電力が入力される電力入力部と、ソーラユニットが当該携帯電子機器に装着されているときは、本体充電池を充電する際の電源を、予め設定された条件に従い決定する本体制御部と、本体制御部が決定した電源を用いて、本体充電池を充電する本体充電制御部とを具備することを特徴とする。【選択図】図１
2010183799.tif 000002
【特許請求の範囲】
【請求項１】
本体充電池を有する本体ユニットと、前記本体ユニットに着脱可能なソーラユニットとを備え、前記本体充電池を電源として動作する携帯電子機器において、
前記ソーラユニットは、
太陽電池パネルと、
前記太陽電池パネルが発電した電力により充電されるソーラユニット充電池と、
前記本体ユニットからの指示に従い、前記太陽電池パネルまたは前記ソーラユニット充電池の電力を前記本体ユニットに入力するソーラユニット充電制御部と
を具備し、
前記本体ユニットは、
外部電源からの電力が入力される電力入力部と、
前記ソーラユニットが当該本体ユニットに装着されているときは、前記本体充電池の充電容量と、前記ソーラユニット充電池の充電容量と、前記電力入力部への電力の入力状態とに基づき、前記本体充電池を充電する際の電源を、予め設定された条件に従い決定する本体制御部と、
前記本体制御部の決定に従い、前記ソーラユニット充電制御部から入力された電力、または、前記電力入力部からの電力を用いて前記本体充電池を充電する本体充電制御部と
を具備することを特徴とする携帯電子機器。
【請求項２】
前記ソーラユニットは、
信号を送信するソーラユニット通信部と、
前記ソーラユニット充電池の充電容量を表す信号の送信を、前記ソーラユニット通信部に実施させるソーラユニット制御部と
を具備し、
前記本体ユニットは、
前記ソーラユニット通信部が送信した前記ソーラユニット充電池の充電容量を表す信号を受信する本体通信部と、
前記本体制御部に従い、ユーザへの通知を行う本体通知部と
を具備し、
前記本体制御部は、前記本体通信部が受信した信号が示す前記ソーラユニット充電池の充電容量と、前記本体充電池の充電容量とのユーザへの通知を、前記本体通知部に実施させること
を特徴とする請求項１に記載の携帯電子機器。
【請求項３】
前記本体制御部は、ユーザによる前記ソーラユニット充電池の充電容量取得の指示を検出すると、前記ソーラユニット充電池の充電容量の要求を送信するように、前記本体通信部を制御し、
前記ソーラユニット制御部は、前記ソーラユニット通信部が前記ソーラユニット充電池の充電容量の要求を受信すると、前記ソーラユニット充電池の充電容量を表す信号の送信を、前記ソーラユニット通信部に実施させること
を特徴とする請求項２に記載の携帯電子機器。
【請求項４】
前記ソーラユニットは、
信号を送信するソーラユニット通信部と、
前記ソーラユニット充電池の充電容量を、予め定められた閾値と比較し、該比較の結果、前記充電容量が前記閾値より小さいときは、前記ソーラユニット充電池の充電容量が少ないことを表す信号の送信を、前記ソーラユニット通信部に実施させるソーラユニット制御部と
を具備し、
前記本体ユニットは、
前記ソーラユニット充電池の充電容量が少ないことを表す信号を受信する本体通信部と、
前記本体制御部に従い、ユーザへの通知を行う本体通知部と
を具備し、
前記本体制御部は、前記本体通信部が前記ソーラユニット充電池の充電容量が少ないことを表す信号を受信すると、前記ソーラユニット充電池の充電容量が少ないことのユーザへの通知を前記本体通知部に実施させること
を特徴とする請求項１に記載の携帯電子機器。
【請求項５】
前記本体ユニットは、信号を送信する本体通信部を具備し、
前記本体制御部は、前記本体充電池の充電容量を表す信号の送信を、前記本体通信部に実施させ、
前記ソーラユニットは、
前記本体通信部が送信した前記本体充電池の充電容量を表す信号を受信するソーラユニット通信部と、
ユーザへの通知を行うソーラユニット通知部と、
前記ソーラユニット通信部が受信した信号が示す前記本体充電池の充電容量と、前記ソーラユニット充電池の充電容量とのユーザへの通知を、前記ソーラユニット通知部に実施させるソーラユニット制御部と
を具備することを特徴とする請求項１に記載の携帯電子機器。
【請求項６】
前記本体ユニットは、信号を送信する本体通信部を具備し、
前記本体制御部は、前記本体充電池の充電容量を、予め定められた閾値と比較し、該比較の結果、前記充電容量が前記閾値より小さいときは、前記本体充電池の充電容量が少ないことを表す信号の送信を、前記本体通信部に実施させ、
前記ソーラユニットは、
前記本体通信部が送信した前記本体充電池の充電容量が少ないことを表す信号を受信するソーラユニット通信部と、
ユーザへの通知を行うソーラユニット通知部と、
前記ソーラユニット通信部が前記本体充電池の充電容量が少ないことを表す信号を受信すると、前記本体充電池の充電容量が少ないことのユーザへの通知を前記ソーラユニット通知部に実施させるソーラユニット制御部と
を具備することを特徴とする請求項１に記載の携帯電子機器。
【請求項７】
前記ソーラユニットの形状は、平板状であり、
一方の面に、前記太陽電池パネルが配置され、
他方の面に、前記ソーラユニット通知部が配置されること
を特徴とする請求項５または請求項６に記載の携帯電子機器。
【請求項８】
前記本体制御部は、前記ソーラユニットが当該携帯電子機器に装着されているときは、前記本体充電池の充電容量と、前記ソーラユニット充電池の充電容量と、前記電力入力部への電力の入力状態と、前記太陽電池パネルの発電状態とに基づき、前記ソーラユニット充電池を充電する際の電源を、予め設定された条件に従い決定し、
前記ソーラユニットは、前記本体制御部が決定した電源を用いて、前記ソーラユニット充電池を充電するソーラユニット充電制御部を具備すること
を特徴とする請求項１に記載の携帯電子機器。
【請求項９】
前記本体通信部と前記ソーラユニット通信部とは、前記ソーラユニットが前記本体ユニットに装着されていないとき、または、前記本体通信部と前記ソーラユニット通信部とが有線にて結線されていないときは、無線通信にて前記信号の送受信を行うこと
を特徴とする請求項１に記載の携帯電子機器。
【発明の詳細な説明】
【技術分野】
【０００１】
本発明は、携帯電子機器に関する。
【背景技術】
【０００２】
従来の無線通信機器は、当該機器を動作させる電源である二次電池と、着脱可能な太陽電池とを備えている。この無線通信機器は、太陽電池を装着しているときに、その太陽電池の出力を、昇圧回路を介して二次電池に供給することで二次電池を充電することができる。また、二次電池が十分に充電されており、充電の必要がないときには、太陽電池を取り外すことができるようにしている（例えば、特許文献１参照）。
また、着脱可能なキーボードを有する携帯型コンピュータであって、該キーボードが備える太陽電池を、該キーボードの電源としているものもある（例えば、特許文献２参照）。
【先行技術文献】
【特許文献】
【０００３】
【特許文献１】特開平６−０２２４７２号公報
【特許文献２】特開平５−２１６５５９号公報
【発明の概要】
【発明が解決しようとする課題】
【０００４】
しかしながら、従来の無線通信機器にあっては、その二次電池を充電するには、当該無線通信機器に太陽電池を接続し、接続した太陽電池に十分な光が照射されている必要があるため、充電中に当該無線通信機器を使用可能な場所が限られてしまう、あるいは充電可能な時間が、当該無線通信機器を使用していないときなどに限られてしまうという問題がある。
また、従来の携帯型コンピュータにあっては、そのキーボードを使用するには、太陽電池に十分な光が照射されている必要があるため、使用可能な場所が限られてしまうという問題がある。
【０００５】
本発明は、このような事情に鑑みてなされたもので、その目的は、使用可能な場所が、太陽電池への光の照射量により限定されず、いつでも太陽電池による充電ができる携帯電子機器を提供することにある。
【課題を解決するための手段】
【０００６】
（１）この発明は上述した課題を解決するためになされたもので、本発明の携帯電子機器は、本体充電池を有する本体ユニットと、前記本体ユニットに着脱可能なソーラユニットとを備え、前記本体充電池を電源として動作する携帯電子機器において、前記ソーラユニットは、太陽電池パネルと、前記太陽電池パネルが発電した電力により充電されるソーラユニット充電池と、前記本体ユニットからの指示に従い、前記太陽電池パネルまたは前記ソーラユニット充電池の電力を前記本体ユニットに入力するソーラユニット充電制御部とを具備し、前記本体ユニットは、外部電源からの電力が入力される電力入力部と、前記ソーラユニットが当該本体ユニットに装着されているときは、前記本体充電池の充電容量と、前記ソーラユニット充電池の充電容量と、前記電力入力部への電力の入力状態とに基づき、前記本体充電池を充電する際の電源を、予め設定された条件に従い決定する本体制御部と、前記本体制御部の決定に従い、前記ソーラユニット充電制御部から入力された電力、または、前記電力入力部からの電力を用いて前記本体充電池を充電する本体充電制御部とを具備することを特徴とする。
【０００７】
（２）また、本発明の携帯電子機器は、上述の携帯電子機器であって、前記ソーラユニットは、信号を送信するソーラユニット通信部と、前記ソーラユニット充電池の充電容量を表す信号の送信を、前記ソーラユニット通信部に実施させるソーラユニット制御部とを具備し、前記本体ユニットは、前記ソーラユニット通信部が送信した前記ソーラユニット充電池の充電容量を表す信号を受信する本体通信部と、前記本体制御部に従い、ユーザへの通知を行う本体通知部とを具備し、前記本体制御部は、前記本体通信部が受信した信号が示す前記ソーラユニット充電池の充電容量と、前記本体充電池の充電容量とのユーザへの通知を、前記本体通知部に実施させることを特徴とする。
【０００８】
（３）また、本発明の携帯電子機器は、上述の携帯電子機器であって、前記本体制御部は、ユーザによる前記ソーラユニット充電池の充電容量取得の指示を検出すると、前記ソーラユニット充電池の充電容量の要求を送信するように、前記本体通信部を制御し、前記ソーラユニット制御部は、前記ソーラユニット通信部が前記ソーラユニット充電池の充電容量の要求を受信すると、前記ソーラユニット充電池の充電容量を表す信号の送信を、前記ソーラユニット通信部に実施させることを特徴とする。
【０００９】
（４）また、本発明の携帯電子機器は、上述の携帯電子機器であって、前記ソーラユニットは、信号を送信するソーラユニット通信部と、前記ソーラユニット充電池の充電容量を、予め定められた閾値と比較し、該比較の結果、前記充電容量が前記閾値より小さいときは、前記ソーラユニット充電池の充電容量が少ないことを表す信号の送信を、前記ソーラユニット通信部に実施させるソーラユニット制御部とを具備し、前記本体ユニットは、前記ソーラユニット充電池の充電容量が少ないことを表す信号を受信する本体通信部と、前記本体制御部に従い、ユーザへの通知を行う本体通知部とを具備し、前記本体制御部は、前記本体通信部が前記ソーラユニット充電池の充電容量が少ないことを表す信号を受信すると、前記ソーラユニット充電池の充電容量が少ないことのユーザへの通知を前記本体通知部に実施させることを特徴とする。
【００１０】
（５）また、本発明の携帯電子機器は、上述の携帯電子機器であって、前記本体ユニットは、信号を送信する本体通信部を具備し、前記本体制御部は、前記本体充電池の充電容量を表す信号の送信を、前記本体通信部に実施させ、前記ソーラユニットは、前記本体通信部が送信した前記本体充電池の充電容量を表す信号を受信するソーラユニット通信部と、ユーザへの通知を行うソーラユニット通知部と、前記ソーラユニット通信部が受信した信号が示す前記本体充電池の充電容量と、前記ソーラユニット充電池の充電容量とのユーザへの通知を、前記ソーラユニット通知部に実施させるソーラユニット制御部とを具備することを特徴とする。
【００１１】
（６）また、本発明の携帯電子機器は、上述の携帯電子機器であって、前記本体ユニットは、信号を送信する本体通信部を具備し、前記本体制御部は、前記本体充電池の充電容量を、予め定められた閾値と比較し、該比較の結果、前記充電容量が前記閾値より小さいときは、前記本体充電池の充電容量が少ないことを表す信号の送信を、前記本体通信部に実施させ、前記ソーラユニットは、前記本体通信部が送信した前記本体充電池の充電容量が少ないことを表す信号を受信するソーラユニット通信部と、ユーザへの通知を行うソーラユニット通知部と、前記ソーラユニット通信部が前記本体充電池の充電容量が少ないことを表す信号を受信すると、前記本体充電池の充電容量が少ないことのユーザへの通知を前記ソーラユニット通知部に実施させるソーラユニット制御部とを具備することを特徴とする。
【００１２】
（７）また、本発明の携帯電子機器は、上述のいずれかの携帯電子機器であって、前記ソーラユニットの形状は、平板状であり、一方の面に、前記太陽電池パネルが配置され、他方の面に、前記ソーラユニット通知部が配置されることを特徴とする。
【００１３】
（８）また、本発明の携帯電子機器は、上述の携帯電子機器であって、前記本体制御部は、前記ソーラユニットが当該携帯電子機器に装着されているときは、前記本体充電池の充電容量と、前記ソーラユニット充電池の充電容量と、前記電力入力部への電力の入力状態と、前記太陽電池パネルの発電状態とに基づき、前記ソーラユニット充電池を充電する際の電源を、予め設定された条件に従い決定し、前記ソーラユニットは、前記本体制御部が決定した電源を用いて、前記ソーラユニット充電池を充電するソーラユニット充電制御部を具備することを特徴とする。
【００１４】
（９）また、本発明の携帯電子機器は、上述の携帯電子機器であって、前記本体通信部と前記ソーラユニット通信部とは、前記ソーラユニットが前記本体ユニットに装着されていないとき、または、前記ソーラユニットが前記本体ユニットに有線で結線されていないときは、無線通信にて前記信号の送受信を行うことを特徴とする。
【発明の効果】
【００１５】
この発明によれば、使用可能な場所が、太陽電池への光の照射量により限定されず、いつでも太陽電池による充電ができる。
【図面の簡単な説明】
【００１６】
【図１】この発明の一実施形態による携帯電話装置１００の構成を示す概略ブロック図である。
【図２】同実施形態における携帯電話装置１００の外観を示す図である。
【図３】同実施形態におけるソーラユニット１２０の外観と変形例を示す図である。
【図４】同実施形態における携帯電話装置１００の動作を説明するシーケンス図である。
【図５】同実施形態における本体制御部１０４による充電の制御処理を示すフローチャートである。
【図６】同実施形態の変形例による携帯電話装置１００の動作を説明するシーケンス図である。
【発明を実施するための形態】
【００１７】
以下、図面を参照して、本発明の実施の形態について説明する。図１は、この発明の一実施形態による携帯電話装置１００の構成を示す概略ブロック図である。内蔵する充電池を電源として動作する携帯電子機器である携帯電話装置１００は、本体ユニット１３０と、ソーラユニット１２０とを具備する。本体ユニット１３０は、本体表示部１０１、携帯電話網通信部１０２、操作部１０３、本体制御部１０４、音声処理部１０５、マイク１０６、スピーカ１０７、本体充電制御部１０８、電源接続部１０９、本体充電池１１０、本体通信部１１１、着脱機構１１３を具備する。また、本体ユニット１３０には、携帯電話装置１００に電力を供給可能な外部電源部２００が接続される。ソーラユニット１２０は、着脱機構１１３により本体ユニット１３０と着脱可能なユニットであり、ソーラユニット通信部１２１、ソーラユニット表示部１２２、ソーラユニット制御部１２４、ソーラユニット充電制御部１２５、太陽電池パネル１２６、ソーラユニット充電池１２７を具備する。
【００１８】
本体表示部１０１（本体通知部）は、本体制御部１０４から入力される各種映像・テキスト・キャラクターなどの画像情報（以下、画像と表記）を表示する。例えば、本体表示部１０１は、液晶ディスプレイや有機ＥＬ（Organic Electro-Luminescence）ディスプレイなどを備える。なお、本実施形態では、ユーザへの通知を行う本体通知部の一例として、本体表示部１０１を説明しているが、本体ユニット１３０が、本体表示部１０１とは別に、例えば本体表示部１０１が設置された面の裏にサブディスプレイを備え、該サブディスプレイに通知内容に応じた画像を表示させることでユーザへの通知を行うようにしてもよい。また、本体ユニット１３０が、本体表示部１０１とは別に、例えば本体表示部１０１が設置された面の裏にＬＥＤ（Light Electric Diode）を備え、通知内容に応じたＬＥＤを点灯させることでユーザへの通知を行うようにしてもよい。また、通知内容に応じた音声をスピーカ１０７から出力することでユーザへの通知を行うようにしてもよい。
【００１９】
携帯電話網通信部１０２は、通信アンテナを備え、携帯電話網（Ｗ−ＣＤＭＡ網やＣＤＭＡ２０００網など）の無線通信規格に従う無線通信を、該通信アンテナを介して行う。すなわち、携帯電話網通信部１０２は、マイク１０６で収音される音声の音声データ等の入力を本体制御部１０４から受け、入力された音声データ等に、所定の変調方式による変調処理、無線周波数帯への周波数変換処理、及び増幅処理の各処理を実行し、無線信号として通信アンテナから無線区間に送出する。また、携帯電話網通信部１０２は、通信アンテナに到来した無線信号をベースバンド周波数帯へ変換する周波数変換処理、所定の方式による変調処理、及び増幅処理の各処理を施し、各処理を施した信号を本体制御部１０４に出力する。
【００２０】
操作部１０３は、テンキー、四方向のカーソルキー、決定キーなどを用いた使用者による各種指示の入力を受け付け、本体制御部１０４に出力する。なお、これらのキーは、機械的なスイッチにより構成され、各キーの押下を検出することで、該キーが入力されたものとするようにしてもよいし、タッチパッドなどにより構成され、特定の領域に指などが触れたことを検出することで、該領域に対応するキーが入力されたものとするようにしてもよい。
【００２１】
本体制御部１０４は、メモリを備え、該メモリに記憶しているプログラムを実行することにより動作する演算処理装置、あるいは、専用のハードウェアを用いて構成することができる。本体制御部１０４は、ソーラユニット１２０が本体ユニット１３０に装着されているときは、本体充電池１１０の充電容量と、ソーラユニット充電池１２７の充電容量と、電源接続部１０９への電力の入力状態とに基づき、本体充電池１１０を充電する際の電源を、予め設定された条件に従い決定する。また、本体制御部１０４は、ソーラユニット１２０が本体ユニット１３０に装着されているときは、本体充電池１１０の充電容量と、ソーラユニット充電池１２７の充電容量と、電源接続部１０９への電力の入力状態と、太陽電池パネル１２６の発電状態とに基づき、ソーラユニット充電池１２７を充電する際の電源を、予め設定された条件に従い決定する。これらを含めて、本体制御部１０４は、携帯電話装置１００全体を制御するが、制御の詳細は後述する。
【００２２】
音声処理部１０５は、他の携帯電話装置との携帯電話網を介した音声通話を行うために、アナログ信号である音声信号と、デジタルデータである音声データとの変換を行う。すなわち、音声処理部１０５は、マイク１０６から受けた音声信号を符号化して音声データを生成し、本体制御部１０４に出力し、本体制御部１０４から受けた音声データを復号して音声信号を生成し、スピーカ１０７に出力する。マイク１０６は、空気を伝播してきた音声を取り入れ、入力された音声の波に応じた電気信号である音声信号を生成し、音声処理部１０５に出力する。スピーカ１０７は、音声処理部１０５が出力した音声信号に従い、振動板などの振動体を振動させることによって音声を出力する。
【００２３】
本体充電制御部１０８は、本体充電池１１０の充電容量を表す値として、本体充電池１１０の端子間電圧を測定する。また、本体充電制御部１０８は、外部電源部２００から電源接続部１０９への電力が入力されているか否かを表す入力状態を検出する。また、本体充電制御部１０８は、本体制御部１０４からの指示に従い、電源接続部１０９あるいはソーラユニット１２０からの電力を本体充電池１１０に出力し、本体充電池１１０を充電する。なお、本体制御部１０４が、本体充電制御部１０８に対して、ソーラユニット１２０からの電力を本体充電池１１０に出力するように指示するのは、ソーラユニット１２０が本体ユニット１３０に装着されていることを検出しているときのみである。
【００２４】
電源接続部１０９（電力入力部）は、外部電源部２００を接続するコネクタであり、外部電源部２００から入力された電力を、本体充電制御部１０８に出力する。
本体充電池１１０は、Ｌｉ（リチウム）イオン電池などの充電池であり、充放電可能に本体充電制御部１０８と接続される。
本体ユニット１３０が具備する本体通信部１１１は、ソーラユニット１２０が、本体ユニット１３０に装着されていないときは、Ｂｌｕｅｔｏｏｔｈ（登録商標）などの数メートル程度の近距離無線通信を使用し、ソーラユニット１２０のソーラユニット通信部１２１との間で、信号の送受信を行う。具体的には、本体通信部１１１は、ソーラユニット１２０のソーラユニット通信部１２１が無線送信したソーラユニット充電池１２７の充電容量を表す信号あるいはソーラユニット充電池１２７の充電容量が少ないことを表す信号を受信し、本体制御部１０４に出力する。また、本体通信部１１１は、本体制御部１０４から出力された本体充電池１１０の充電容量を表す信号あるいは本体充電池１１０の充電容量が少ないことを表す信号を無線送信する。
【００２５】
また、ソーラユニット１２０が、本体ユニット１３０に装着されているときは、本体通信部１１１は、ソーラユニット通信部１２１と結線され、有線通信を用いてソーラユニット通信部１２１との間で、前述の信号を含む信号の送受信を行う。なお、ソーラユニット１２０が本体ユニット１３０に装着されていないときに、本体通信部１１１とソーラユニット通信部１２１とは無線通信をするとして説明したが、ソーラユニット１２０が本体ユニット１３０に装着されていないときであっても、本体通信部１１１とソーラユニット通信部１２１とを有線にて結線可能とし、本体通信部１１１とソーラユニット通信部１２１とが有線にて結線されていないときに、本体通信部１１１とソーラユニット通信部１２１とは無線通信にて前記信号の送受信を行うようにしてもよい。また、本体通信部１１１とソーラユニット通信部１２１とは、有線にて結線可能であり、ソーラユニット１２０が本体ユニット１３０に装着されていないとき、有線通信のみで前記信号の送受信を行うようにしてもよい。また、本体通信部１１１とソーラユニット通信部１２１とは、ソーラユニット１２０が本体ユニット１３０に装着されていないとき、無線通信のみで前記信号の送受信を行うようにしてもよい。
【００２６】
また、本体制御部１０４は、ソーラユニット１２０が本体ユニット１３０に装着されているときは、この本体通信部１１１、ソーラユニット通信部１２１およびソーラユニット制御部１２４を介して、ソーラユニット充電制御部１２５と通信する。
着脱機構１１３は、ソーラユニット１２０の本体ユニット１３０への着脱を可能にするユニットである。
【００２７】
ソーラユニット１２０が具備するソーラユニット通信部１２１は、ソーラユニット１２０が、本体ユニット１３０に装着されていないときは、Ｂｌｕｅｔｏｏｔｈ（登録商標）などの数メートル程度の近距離無線通信を使用し、本体通信部１１１との間で信号の通信を行う。具体的には、ソーラユニット通信部１２１は、本体通信部１１１が無線送信した本体充電池１１０の充電容量を表す信号あるいは本体充電池１１０の充電容量が少ないことを表す信号を受信し、ソーラユニット制御部１２４に出力する。また、ソーラユニット通信部１２１は、ソーラユニット制御部１２４から出力されたソーラユニット充電池１２７の充電容量を表す信号あるいはソーラユニット充電池１２７の充電容量が少ないことを表す信号を無線送信する。
また、ソーラユニット１２０が、本体ユニット１３０に装着されているときは、ソーラユニット通信部１２１は、本体通信部１１１と結線され、有線通信を用いて本体通信部１１１との間で、信号の送受信を行う。
【００２８】
ソーラユニット表示部１２２（ソーラユニット通知部）は、ソーラユニット制御部１２４から入力される各種画像を表示する液晶ディスプレイや有機ＥＬディスプレイなどを備える、あるいは、ソーラユニット制御部１２４から入力される各種通知を、点灯する色、点滅パターンなどで、ユーザに通知するＬＥＤ（Ｌｉｇｈｔ  Ｅｌｅｃｔｒｉｃ  Ｄｉｏｄｅ）を備える。なお、本実施形態では、ユーザへの通知を行うソーラユニット通知部の一例として、ソーラユニット表示部１２２を説明しているが、ソーラユニット１２０が、ソーラユニット通知部として、例えばＬＥＤを備え、通知内容に応じたＬＥＤを点灯させることでユーザへの通知を行うようにしてもよい。また、通知内容に応じた音声をスピーカから出力することでユーザへの通知を行うようにしてもよい。
なお、ソーラユニット通信部１２１は、ソーラユニット１２０が本体ユニット１３０に装着されているときに本体通信部１１１と結線され、ソーラユニット制御部１２４と本体制御部１０４との通信を可能とする。
【００２９】
ソーラユニット制御部１２４は、メモリを備え、該メモリに記憶しているプログラムを実行することにより動作する演算処理装置、あるいは、専用のハードウェアを用いて構成することができる。ソーラユニット制御部１２４は、ソーラユニット１２０全体を制御するが、制御の詳細は後述する。
【００３０】
ソーラユニット充電制御部１２５は、ソーラユニット充電池１２７の充電容量を表す値として、ソーラユニット充電池１２７の端子間電圧を測定する。また、ソーラユニット充電制御部１２５は、太陽電池パネル１２６の発電状態を表す値として、太陽電池パネル１２６の端子間電圧を測定する。また、ソーラユニット充電制御部１２５は、ソーラユニット１２０が本体ユニット１３０に装着されているときは、本体通信部１１１、ソーラユニット通信部１２１、ソーラユニット制御部１２５を介した本体制御部１０４からの指示に従い、本体充電制御部１０８あるいは太陽電池パネル１２６からの電力をソーラユニット充電池１２７に出力してソーラユニット充電池１２７を充電する。また、ソーラユニット充電制御部１２５は、本体制御部１０４からの指示に従い、ソーラユニット充電池１２７あるいは太陽電池パネル１２６からの電力を本体充電制御部１０８に出力し、本体充電制御部１０８を介して本体充電池１１０を充電する。また、ソーラユニット充電制御部１２５は、ソーラユニット１２０が本体ユニット１３０に装着されていないときは、太陽電池パネル１２６からの電力をソーラユニット充電池１２７に出力し、ソーラユニット充電池１２７を充電する。
【００３１】
なお、ソーラユニット充電制御部１２５は、ソーラユニット１２０が本体ユニット１３０から取り外されているときは、ソーラユニット充電池１２７の電圧を、予め設定された満充電を示す閾値と比較し、該閾値よりもソーラユニット充電池１２７の電圧が低いときは、太陽電池パネル１２６からの電力をソーラユニット充電池１２７に出力し、ソーラユニット充電池１２７を充電する。
また、ソーラユニット充電制御部１２５は、当該ソーラユニット１２０を動作させる電力を、ソーラユニット充電池１２７から取得し、当該ソーラユニット１２０の各部に供給する。
【００３２】
太陽電池パネル１２６は、ソーラユニット１２０の表面に配置される太陽電池のパネルであり、太陽光などを受けて発電をする。
ソーラユニット充電池１２７は、Ｌｉイオン電池などの充電池であり、充放電可能にソーラユニット充電制御部１２５と接続される。
【００３３】
図２は、本実施形態における携帯電話装置１００の外観を示す図である。本実施形態における携帯電話装置１００は、クラムシェルタイプ（折り畳み型）の筺体である。図２（ａ）は、筺体を開いた状態の内側から見た外観を示す図であり、図２（ｂ）は、ソーラユニット１２０が装着され、筺体を閉じた状態での上面の外観を示す図である。図２（ａ）に示すように、音声通話を行うためのスピーカ１０７は内側の上部に設けられ、マイク１０６は内側の下部に設けられている。また、本体表示部１０１は、内側の上部に設けられ、操作部１０３は、内側の下部に設けられている。
【００３４】
そして、ソーラユニット１２０は、本体表示部１０１の裏側、すなわち図２（ｂ）に示すように、筺体を閉じた状態での上面に装着され、太陽電池パネル１２６、ソーラユニット表示部１２２が表面に現れるように装着されている。
このように、ソーラユニット１２０は、太陽電池パネル１２６、ソーラユニット表示部１２２が表面に現れるように本体ユニット１３０に装着されるので、装着したままの状態でも、太陽電池パネル１２６による発電を行うこと、および、ソーラユニット表示部１２２によるユーザへの通知を行うことができる。
【００３５】
図３は、本実施形態におけるソーラユニット１２０の外観と変形例を示す図である。図３（ａ）に示すように、ソーラユニット１２０の形状は、平板状であり、太陽電池パネル１２６およびソーラユニット表示部１２２が一方の面に設けられている。一方、図３（ｂ）に示す変形例のように、ソーラユニット１２０の形状は、平板状であり、一方の面（表面）に太陽電池パネル１２６が設けられ、他方の面（裏面）にソーラユニット表示部１２２が設けられるようにしてもよい。
【００３６】
さらに、図３（ｂ）の変形例の場合、本体ユニット１３０へ装着したときに、太陽電池パネル１２６の面（表面）と、ソーラユニット表示部１２２の面（裏面）とのどちらの面でも外側にすることができるようにすることが望ましい。これにより、ソーラユニット１２０を極力、小型化できるとともに、太陽電池パネル１２６による発電が必要なときは、太陽電池パネル１２６の面が外側になるように装着し、発電が不要なときは、ソーラユニット表示部１２２の面が外側になるように装着し、ソーラユニット表示部１２２の表示内容をユーザが確認できるようにすることができる。
【００３７】
図４は、本実施形態における携帯電話装置１００の動作を説明するシーケンス図である。なお、ここで、ソーラユニット１２０は、本体ユニット１３０から取り外され、本体通信部１１１およびソーラユニット通信部１２１による無線通信範囲内に置かれているものとする。ユーザが操作部１０３により、ソーラユニット充電池１２７の充電容量取得の指示を入力すると、本体制御部１０４は、この指示を検出して、ソーラユニット充電池１２７の充電容量の要求を送信するように、本体通信部１１１を制御する（Ｓａ１）。本体通信部１１１が送信した、この要求の信号を、ソーラユニット１２０のソーラユニット通信部１２１は、受信して、ソーラユニット制御部１２４に充電容量の要求を受信したことを通知する。充電容量の要求受信を通知されると、ソーラユニット制御部１２４は、ソーラユニット充電制御部１２５からソーラユニット充電池１２７の電圧を取得し、ソーラユニット充電池１２７の充電容量を表す信号として、この電圧を表す信号の送信を、ソーラユニット通信部１２１に実施させる（Ｓａ２）。ソーラユニット通信部１２１が送信した電圧を表す信号を、携帯電話装置１００の本体通信部１１１は、受信して、この信号が示す電圧の値を、本体制御部１０４に通知する。この電圧の値を受けた本体制御部１０４は、受けた電圧の値を、充電容量のレベル毎に予め設定された閾値と比較し、充電容量のレベルを判定する。次に、本体制御部１０４は、判定結果の充電容量のレベルを示す画像を、本体表示部１０１に表示させる。
【００３８】
また、ソーラユニット制御部１２４は、定期的にソーラユニット充電制御部１２５からソーラユニット充電池１２７の電圧を取得し、取得した電圧を示す値を予め設定した閾値α（例えば、３０％の充電容量を示す電圧値）と比較し、該比較の結果、電圧を示す値が閾値αより小さいときは、充電容量の低下を検出したと判定し、充電容量低下検出の通知（ソーラユニット充電池１２７の充電容量が少ないことを表す信号）の送信を、ソーラユニット通信部１２１に実施させるように制御する。ソーラユニット通信部１２１が、充電容量低下検出の通知を送信すると（Ｓａ３）、携帯電話装置１００の本体通信部１１１は、該通知を受信し、ソーラユニット充電池１２７の充電容量低下検出を本体制御部１０４に通知する。
【００３９】
このソーラユニット充電池１２７の充電容量低下検出の通知を受けると、本体制御部１０４は、ソーラユニット充電池１２７の充電容量低下を示す画像を本体表示部１０１に表示させて、ソーラユニット充電池１２７の充電容量が少ないことのユーザへの通知を本体表示部１０１に実施させる。なお、充電容量が少ないことのユーザへの通知は、本体表示部１０１に表示させるのではなく、音声処理部１０５を介して、スピーカ１０７から通知内容に応じて予め設定されたアラーム音を出力するようにしてもよいし、偏心モータを駆動させて筺体を振動させる振動部を本体ユニット１３０が備えているときは、該振動部により筺体を振動させてユーザへの通知を行ってもよいし、本体ユニット１３０がＬＥＤを備えているときは、通知内容に応じたＬＥＤを点灯させることでユーザへの通知を行ってもよいし、これらの通知を組み合わせて行ってもよい。なお、ＬＥＤを用いる場合は、消費電力が小さいので、通知したタイミングにユーザがその場にいなくても、後で確認可能なように、点灯させ続けておくことができる。
【００４０】
また、本体制御部１０４は、定期的に本体充電制御部１０８から本体充電池１１０の電圧を取得し、取得した電圧を示す値を予め設定した閾値β（例えば、３０％の充電容量を示す電圧値）と比較し、該比較の結果、電圧を示す値が閾値βより小さいときは、充電容量の低下を検出したと判定し、充電容量低下検出の通知（本体充電池１１０の充電容量が少ないことを表す信号）の送信を、本体通信部１１１に実施させるように制御する。本体通信部１１１が、充電容量低下検出の通知を送信すると（Ｓａ４）、ソーラユニット１２０のソーラユニット通信部１２１は、該通知を受信し、本体充電池１１０の充電容量低下検出をソーラユニット制御部１２４に通知する。
【００４１】
この本体充電池１１０の充電容量低下検出の通知を受けると、ソーラユニット制御部１２４は、本体充電池１１０の充電容量低下を示す画像をソーラユニット表示部１２２に表示させて、本体充電池１１０の充電容量が少ないことのユーザへの通知をソーラユニット表示部１２２に実施させる。なお、充電容量が少ないことのユーザへの通知は、ソーラユニット表示部１２２に画像を表示させるのではなく、ソーラユニット表示部１２２が備え、本体充電池１１０の充電容量が少ないことを示すＬＥＤを点灯させるなどの方法により行ってもよい。
【００４２】
図５は、本実施形態における本体制御部１０４による充電の制御処理を示すフローチャートである。携帯電話装置１００の電源スイッチ（不図示）が入れられると、本体制御部１０４は、本体充電制御部１０８から本体充電池１１０の電圧を取得して、充電容量の検出をする（Ｓ１）。次に、本体制御部１０４は、本体充電制御部１０８から電源接続部１０９に接続されている外部電源部２００の出力電圧を取得して、電源接続部１０９への入力状態検出、すなわち電源接続部１０９に外部電源部２００から電力が入力されている可否かの検出を行なう（Ｓ２）。
【００４３】
次に、本体制御部１０４は、本体通信部１１１およびソーラユニット通信部１２１を介して、ソーラユニット制御部１２４との有線通信を行い、ソーラユニット１２０の装着状態を検出する（Ｓ３）。すなわち、本体通信部１１１およびソーラユニット通信部１２１を介して、ソーラユニット制御部１２４と有線通信できたときは、ソーラユニット１２０が装着されていると判定し、通信できないときは、ソーラユニット１２０が装着されていないと判定する。なお、この装着状態の判定は、本体続通信部１１１およびソーラユニット通信部１２１による有線通信ではなく、ソーラユニット１２０が装着されていると、ソーラユニット１２０の筺体に押されて動作するスイッチの開閉状態を本体制御部１０４が検出することで、装着状態の判定を行ってもよい。
【００４４】
次に、本体制御部１０４は、ソーラユニット１２０が装着されていると判定したときは（Ｓ４−Ｙｅｓ）、ステップＳ５に遷移して、ソーラユニット充電制御部１２５からソーラユニット充電池１２７の電圧を取得して、充電容量の検出をする。さらに、本体制御部１０４は、ソーラユニット充電制御部１２５から太陽電池パネル１２６の出力電圧を取得して、発電状態の検出をする（Ｓ６）。本体制御部１０４は、ステップＳ１、Ｓ２、Ｓ５、Ｓ６で検出した本体充電池１１０の充電容量と、電源接続部１０９への電力の入力状態と、ソーラユニット充電池１２７の充電容量と、太陽電池パネル１２６の発電状態とに基づき、予め１つまたは複数設定されたソーラユニット充電池１２７の充電条件Ａのうち、いずれかが成立するか否かを判定する（Ｓ７）。本体制御部１０４は、いずれの充電条件Ａも成立してないと判定さらに成立したときは、ソーラユニット充電池１２７の充電を停止するようにソーラユニット充電制御部１２５を制御し、ソーラユニット充電池１２７の充電を停止させる（Ｓ８）。また、ステップＳ７にて、いずれかの充電条件Ａが成立したと判定したときは、ソーラユニット充電池１２７を充電する際の電源を、成立した充電条件Ａに対応する電源に決定し、ソーラユニット充電池１２７の充電を決定した電源にて充電するように、本体充電制御部１０８およびソーラユニット充電制御部１２５を制御して、ソーラユニット充電池１２７を充電する（Ｓ９）。なお、充電条件Ａおよび充電に用いられる該条件に対応する電源については、後述する。
【００４５】
ステップＳ８、Ｓ９の後、あるいは、ステップＳ４にてソーラユニット１２０が装着されていないと判定したときは、ステップＳ１０に遷移して、本体制御部１０４は、ステップＳ１、Ｓ２、Ｓ５、Ｓ６で検出した本体充電池１１０の充電容量と、電源接続部１０９への電力の入力状態と、ソーラユニット充電池１２７の充電容量と、太陽電池パネル１２６の発電状態とに基づき、予め１つまたは複数設定された本体充電池１１０の充電条件Ｂのうち、いずれかが成立するか否かを判定する（Ｓ１０）。ここで、ステップＳ４にてソーラユニット１２０が装着されていないと判定したときは、ソーラユニット充電池１２７の充電容量および太陽電池パネル１２６の発電状態は無いとして、判定を行う。また、充電条件Ｂおよび充電に用いられる該条件に対応する電源については、後述する。
【００４６】
ステップＳ１０にて、本体制御部１０４は、いずれの充電条件Ｂも成立してないと判定さらに成立したときは、本体充電池１１０の充電を停止するように本体充電制御部１０８を制御し、本体充電池１１０の充電を停止させる（Ｓ１１）。また、ステップＳ１０にて、いずれかの充電条件Ｂが成立したと判定したときは、本体充電池１１０を充電する際の電源を、成立した充電条件Ｂに対応する電源に決定し、本体充電池１１０の充電を決定した電源にて充電するように、本体充電制御部１０８およびソーラユニット充電制御部１２５を制御して、本体充電池１１０を充電する（Ｓ１２）。
【００４７】
ステップＳ１１、Ｓ１２の後、ステップＳ１に戻って、上述の処理を繰り返す。
【００４８】
上述のソーラユニット充電池１２７の充電条件Ａおよび充電に用いられる該条件に対応する電源については、下記（ａ１）〜（ａ４）がある。これらの中から、使用する条件を、ユーザが予め選択し、設定しておく。
（ａ１）電源接続部１０９に外部電源部２００から電力が入力されているときは、他の条件によらず、外部電源部２００からの電力により充電する。
（ａ２）電源接続部１０９に外部電源部２００から電力が入力されており、かつ、ソーラユニット充電池１２７の充電容量が予め設定された閾値γ１より小さいときは、外部電源部２００からの電力により充電する。
（ａ３）太陽電池パネル１２６が発電しているときは、他の条件によらず、太陽電池パネル１２６からの電力により充電する。
（ａ４）電源接続部１０９に外部電源部２００から電力が入力されておらず、本体充電池１１０の充電容量が予め設定された閾値γ２より大きく、かつ、ソーラユニット充電池１２７の充電容量が予め設定された閾値γ３より小さいときは、本体充電池１１０からの電力により充電する。
（ａ５）電源接続部１０９に外部電源部２００から電力が入力されている場合、太陽電池パネル１２６の発電容量が予め設定された閾値γ４より大きいときは、太陽電池パネル１２６からの電力により充電し、閾値γ４より小さいときは、外部電源部２００からの電力により充電する。
【００４９】
上述の本体充電池１１０の充電条件Ｂおよび充電に用いられる該条件に対応する電源については、下記（ｂ１）〜（ｂ７）がある。これらの中から、使用する条件を、ユーザが予め選択し、設定しておく。
（ｂ１）電源接続部１０９に外部電源部２００から電力が入力されているときは、他の条件によらず、外部電源部２００からの電力により充電する。
（ｂ２）電源接続部１０９に外部電源部２００から電力が入力されており、かつ、本体充電池１１０の充電容量が予め設定された閾値δ１より小さいときは、外部電源部２００からの電力により充電する。
（ｂ３）太陽電池パネル１２６が発電しているときは、他の条件によらず、太陽電池パネル１２６からの電力により充電する。
（ｂ４）太陽電池パネル１２６が発電しており、かつ、電源接続部１０９に外部電源部２００から電力が入力されている場合、本体充電池１１０の充電容量が予め設定された閾値δ２より大きいときは、太陽電池パネル１２６からの電力により充電し、小さいときは、外部電源部２００からの電力により充電する。
（ｂ５）太陽電池パネル１２６が発電しておらず、ソーラユニット充電池１２７の充電容量が予め設定された閾値δ３より大きいときは、ソーラユニット充電池１２７からの電力により充電する。
（ｂ６）太陽電池パネル１２６が発電しておらず、かつ、電源接続部１０９に外部電源部２００から電力が入力されていない場合、ソーラユニット充電池１２７の充電容量が予め設定された閾値δ４より大きく、本体充電池１１０の充電容量が予め設定された閾値δ５より小さいときは、ソーラユニット充電池１２７からの電力により充電する。
（ｂ７）太陽電池パネル１２６が発電しておらず、電源接続部１０９に外部電源部２００から電力が入力されているときは、外部電源部２００からの電力により充電する。
（ｂ８）太陽電池パネル１２６が発電しておらず、かつ、電源接続部１０９に外部電源部２００から電力が入力されていない場合、ソーラユニット充電池１２７の充電容量が予め設定された閾値δ５より小さいときは、充電を行わない。
（ｂ９）電源接続部１０９に外部電源部２００から電力が入力されている場合、太陽電池パネル１２６の発電容量が予め設定された閾値δ６より大きいときは、太陽電池パネル１２６からの電力により充電し、閾値δ６より小さいときは、外部電源部２００からの電力により充電する。
（ｂ１０）太陽電池パネル１２６が発電しており、電源接続部１０９に外部電源部２００から電力が入力されているときは、外部電源部２００からの電力により充電するとともに、ソーラユニット充電池１２７を太陽電池パネル１２６からの電力により充電する。
【００５０】
なお、上記実施形態におけるソーラユニット１２０に操作部を設け、ユーザが、この操作部により、本体充電池１１０の充電容量取得の指示を入力できるようにしてもよい。図６は、この変形例による携帯電話装置１００の動作を説明するシーケンス図である。なお、ここで、ソーラユニット１２０は、本体ユニット１３０から取り外され、本体通信部１１１およびソーラユニット通信部１２１による通信範囲内に置かれているものとする。ユーザがソーラユニット１２０の操作部により、本体充電池１１０の充電容量取得の指示を入力すると、ソーラユニット制御部１２４は、この指示を検出して、本体充電池１１０の充電容量の要求を送信するように、ソーラユニット通信部１２１を制御する（Ｓｂ１）。ソーラユニット通信部１２１が送信した、この要求の信号を、携帯電話装置１００の本体通信部１１１は、受信して、本体制御部１０４に充電容量の要求を受信したことを通知する。
【００５１】
充電容量の要求受信を通知されると、本体制御部１０４は、本体充電制御部１０８から本体充電池１１０の電圧を取得し、本体充電池１１０の充電容量を表す信号として、この電圧を表す信号の送信を、本体通信部１１１に実施させる（Ｓｂ２）。本体通信部１１１が送信した電圧を表す信号を、ソーラユニット１２０のソーラユニット通信部１２１は、受信して、この信号が示す電圧の値を、ソーラユニット制御部１２４に通知する。この電圧の値を受けたソーラユニット制御部１２４は、受けた電圧の値を、充電容量のレベル毎に予め設定された閾値と比較し、充電容量のレベルを判定する。次に、ソーラユニット制御部１２４は、判定結果の充電容量のレベルを示す画像を、ソーラユニット表示部１２２に表示させる。
【００５２】
このように、本実施形態では、着脱可能なソーラユニット１２０にソーラユニット充電池１２７を備えているので、ソーラユニット１２０を取り外して十分な光が照射される位置に置いておいてソーラユニット充電池１２７に充電させることができるので、携帯電話装置１００を使用可能な場所が、太陽電池への光の照射量により限定されず、いつでも太陽電池による充電が可能である。
なお、ソーラユニット１２０は、携帯電話装置に共通のコネクタ（例えば、）にて電力供給可能なように接続できるようにしてもよい。このようにすることで、該コネクタにて接続可能な携帯電話装置に対して、電力を供給できる。
【００５３】
また、図１における本体制御部１０４、ソーラユニット制御部１２４の機能を実現するためのプログラムをコンピュータ読み取り可能な記録媒体に記録して、この記録媒体に記録されたプログラムをコンピュータシステムに読み込ませ、実行することにより本体制御部１０４、ソーラユニット制御部１２４の処理を行ってもよい。なお、ここでいう「コンピュータシステム」とは、ＯＳや周辺機器等のハードウェアを含むものとする。
【００５４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５６】
１００…携帯電話装置
１０１…本体表示部
１０２…携帯電話網通信部
１０３…操作部
１０４…本体制御部
１０５…音声処理部
１０６…マイク
１０７…スピーカ
１０８…本体充電制御部
１０９…電源接続部
１１０…本体充電池
１１１…本体通信部
１１３…着脱機構
１２０…ソーラユニット
１２１…ソーラユニット通信部
１２２…ソーラユニット表示部
１２４…ソーラユニット制御部
１２５…ソーラユニット充電制御部
１２６…太陽電池パネル
１２７…ソーラユニット充電池
１３０…本体ユニット
２００…外部電源部
【図１】
2010183799.tif 000003
【図２】
2010183799.tif 000004
【図３】
2010183799.tif 000005
【図４】
2010183799.tif 000006
【図５】
2010183799.tif 000007
【図６】
2010183799.tif 000008